【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
金融商品の取引に係る処理を行う取引サーバと、金融商品の取引画面を表示して金融商品の購入注文を受け付けたことに伴い、前記取引サーバへ金融商品の購入指示を送信する通信端末装置とを備える金融商品購入システムにおいて、
前記通信端末装置は、
前払い金の使用に係る設定の受付が可能な設定画面を表示する手段と、
前記設定画面で前払い金を使用する設定を受け付けて、前記取引画面で金融商品の購入注文を受け付けた場合、前払い金を用いて金融商品の購入する旨の購入指示操作の受付が可能な購入画面を表示する手段と、
前記購入画面で、前払い金を用いて金融商品の購入する旨の購入指示操作を受け付けた場合、金融商品の購入指示を前記取引サーバへ送信する手段と
を備え、
前記取引サーバは、
前記通信端末装置から送信された前記金融商品の購入指示を受信した場合、前払い金による金融商品の購入に係る処理を行う手段を備えることを特徴とする金融商品購入システム。
【請求項２】
金融商品の取引に係る処理を行う取引サーバと、金融商品の取引画面を表示して金融商品の購入注文を受け付けたことに伴い、前記取引サーバへ金融商品の購入指示を送信する通信端末装置とを備える金融商品購入システムによる金融商品購入方法において、
前記通信端末装置は、
前払い金の使用に係る設定の受付が可能な設定画面を表示するステップと、
前記設定画面で前払い金を使用する設定を受け付けて、前記取引画面で金融商品の購入注文を受け付けた場合、前払い金を用いて金融商品の購入する旨の購入指示操作の受付が可能な購入画面を表示するステップと、
前記購入画面で、前払い金を用いて金融商品の購入する旨の購入指示操作を受け付けた場合、金融商品の購入指示を前記取引サーバへ送信するステップと
を実行し、
前記取引サーバは、
前記通信端末装置から送信された前記金融商品の購入指示を受信した場合、前払い金による金融商品の購入に係る処理を行うステップを実行することを特徴とする金融商品購入方法。
【請求項３】
金融商品の取引画面を表示して金融商品の購入注文を受け付けたことに伴い、金融商品の取引に係る処理を行う外部の取引サーバへ金融商品の購入指示を送信する通信端末装置において、
前払い金の使用に係る設定を受付可能な設定画面を表示する手段と、
前記設定画面で前払い金を使用する設定を受け付けて、前記取引画面で金融商品の購入注文を受け付けた場合、前払い金を用いて金融商品の購入する旨の購入指示操作の受付が可能な購入画面を表示する手段と、
前記購入画面で、前払い金を用いて金融商品の購入する旨の購入指示操作を受け付けた場合、外部の取引サーバへ金融商品の購入指示を送信する手段と
を備えることを特徴とする通信端末装置。
【請求項４】
外部の取引サーバには、金融商品の取引に係るユーザ口座の口座情報が記憶してあり、
前記取引画面で金融商品の購入注文を受け付けた場合で、金融商品の購入費用が前払い金の金額及びユーザ口座の入金額の合計額を上回るとき、金融商品の購入が不可である旨を示す購入不可画面を表示する手段を備える請求項３に記載の通信端末装置。
【請求項５】
前記購入不可画面は、金融商品の購入に対する不足額を示す情報を含む請求項４に記載の通信端末装置。
【請求項６】
前記購入不可画面は、金融商品の購入不可を解消できるように、前払い金の追加、ユーザ口座への入金、又は金融商品の購入量削減の少なくともいずれか一つの表記を含む請求項４又は請求項５に記載の通信端末装置。
【請求項７】
前記取引画面は、金融商品の購入量が指定可能になっており、
前記購入不可画面は、前記取引画面へ表示を切り替える指示操作の受付が可能になっており、
前記購入不可画面で、前記取引画面へ表示を切り替える指示操作を受け付けた場合、前記取引画面に表示を切り替える請求項４乃至請求項６のいずれか１項に記載の通信端末装置。
【請求項８】
外部の取引サーバには、金融商品の取引に係るユーザ口座の口座情報が記憶してあり、
前記取引画面で金融商品の購入注文を受け付けた場合で、金融商品の購入費用が前払い金の金額を上回るが、前払い金の金額及びユーザ口座の入金額の合計額以下であるとき、前払い金及びユーザ口座の入金額を用いて金融商品の購入を指示する旨の購入指示操作の受付が可能な購入画面を表示する手段を備える請求項３に記載の通信端末装置。
【請求項９】
外部の取引サーバには、金融商品の取引に係るユーザ口座の口座情報が記憶してあり、
前記設定画面で前払い金を使用する設定を受け付けて、前記取引画面で金融商品の購入注文を受け付けた場合、前払い金で支払う金額又はユーザ口座で支払う金額の指定を受け付ける金額指定画面を表示する手段と、
前記金額指定画面で金額の指定を受け付けた場合、指定された金額の前払い金又は指定された金額のユーザ口座を用いて金融商品の購入する旨の購入指示操作の受付が可能な購入画面を表示する手段と、
前記購入画面で、指定された金額の前払い金又は指定された金額のユーザ口座を用いて金融商品の購入する旨の購入指示操作を受け付けた場合、外部の取引サーバへ金融商品の購入指示を送信する手段と
を備える請求項３に記載の通信端末装置。
【請求項１０】
通信端末装置が、金融商品の取引画面を表示して金融商品の購入注文を受け付けたことに伴い、金融商品の取引に係る処理を行う外部の取引サーバへ金融商品の購入指示を送信する金融商品購入方法において、
前払い金の使用に係る設定を受付可能な設定画面を表示するステップと、
前記設定画面で前払い金を使用する設定を受け付けて、前記取引画面で金融商品の購入注文を受け付けた場合、前払い金を用いて金融商品の購入する旨の購入指示操作の受付が可能な購入画面を表示するステップと、
前記購入画面で、前払い金を用いて金融商品の購入する旨の購入指示操作を受け付けた場合、外部の取引サーバへ金融商品の購入指示を送信するステップと
を実行することを特徴とする金融商品購入方法。
【請求項１１】
通信機能を有するコンピュータに、金融商品の取引画面を表示して金融商品の購入注文を受け付けたことに伴い、金融商品の取引に係る処理を行う外部の取引サーバへ金融商品の購入指示を送信する処理を実行させるためのコンピュータプログラムにおいて、
前記コンピュータに、
前払い金の使用に係る設定を受付可能な設定画面を表示するステップと、
前記設定画面で前払い金を使用する設定を受け付けて、前記取引画面で金融商品の購入注文を受け付けた場合、前払い金を用いて金融商品の購入する旨の購入指示操作の受付が可能な購入画面を表示するステップと、
前記購入画面で、前払い金を用いて金融商品の購入する旨の購入指示操作を受け付けた場合、外部の取引サーバへ金融商品の購入指示を送信するステップと
を実行させることを特徴とするコンピュータプログラム。
【手続補正２】
【補正対象書類名】明細書
【補正対象項目名】発明の名称
【補正方法】変更
【補正の内容】
【発明の名称】金融商品購入システム、金融商品購入方法、通信端末装置、及びコンピュータプログラム
【手続補正３】
【補正対象書類名】明細書
【補正対象項目名】０００１
【補正方法】変更
【補正の内容】
【０００１】
本発明は、ネットワーク経由で株式等の金融商品を購入する場合の購入費用として、プリペイドカード等のプリペイド方式による前払い金を充当できるようにした金融商品購入システム、金融商品購入方法、通信端末装置、及びコンピュータプログラムに関する。